(57)【特許請求の範囲】
【請求項１】
バッグ本体（１）を備えるゴルフバッグにおいて、
前記バッグ本体（１）の上部のバッグ開口部（２）の内部には、前記バッグ開口部（２）の軸方向に移動可能な保護カバー（３）が設けられ、前記保護カバー（３）と前記バッグ開口部（２）との間には、スライド部材（４）が設けられ、前記保護カバー（３）は、前記スライド部材（４）によって前記バッグ開口部（２）の内部に設けられ、
前記スライド部材（４）は、前記バッグ開口部（２）の内部に径方向に設けられたスライド板（８）と、前記保護カバー（３）の下端の内部に設けられたスライドロック部（５）とを備え、前記スライド板（８）にはスライド溝（８１）が設けられ、前記スライド溝（８１）の上端と前記スライド板（８）とが連結される箇所には止め部材（８２）が設けられ、前記スライドロック部（５）は「工」字形に形成され、前記スライドロック部（５）の一端は前記保護カバー（３）に固定され、他端は、前記スライド溝（８１）の下端からスライド溝（８１）内に挿入されかつ前記スライド板（８）に沿って上下にスライドすることができ、
前記スライド板（８）の上端と下端には上端固定部（７）と下端固定部（９）とがそれぞれ設けられ、前記上端固定部（７）と前記下端固定部（９）はそれぞれ、前記スライド板（８）に連結され、前記上端固定部（７）は移動可能に前記保護カバー（３）の内部に設けられ、前記上端固定部（７）の内壁には固定されたキャップフレーム（６）が設けられ、前記キャップフレーム（６）の内部には格子（１１）が配置されていることを特徴とするゴルフバッグ。
【請求項２】
前記上端固定部（７）、前記下端固定部（９）及び前記スライド板（８）の外部には、中空のプラスチック桶（１０）が設けられ、前記下端固定部（９）は、前記プラスチック桶（１０）の内壁に固定され、前記保護カバー（３）は、前記上端固定部（７）と前記プラスチック桶（１０）との間に挿入されることを特徴とする請求項１に記載のゴルフバッグ。
【請求項３】
前記スライド板（８）の数量は、２個〜４個であることを特徴とする請求項２に記載のゴルフバッグ。
【請求項４】
前記スライド部材（４）は、前記スライド板（８）と前記スライドロック部（５）とを備えていない場合、前記バッグ開口部（２）の内部に径方向に設けられたスライド棒（１２）と、前記保護カバー（３）の内部に設けられたスライドカバー（１３）とを備え、前記スライドカバー（１３）は、前記スライド棒（１２）に係合され、前記スライド棒（１２）の上端部には、前記キャップフレーム（６）が設けられ、前記キャップフレーム（６）は、前記保護カバー（３）の内部に設けられ、前記キャップフレーム（６）の内部には、格子（１１）が配置されていることを特徴とする請求項１に記載のゴルフバッグ。
【請求項５】
前記スライド棒（１２）の下端は、前記バッグ本体（１）の底部に設けられた底盤（１４）に固定され、前記底盤（１４）には、挿入用孔（１５）が設けられ、前記スライド棒（１２）の下端は、前記挿入用孔（１５）に挿入され、かつ前記挿入用孔（１５）の内部に固定されることを特徴とする請求項４に記載のゴルフバッグ。
【請求項６】
前記スライド棒（１２）の数量は、２個〜４個であることを特徴とする請求項５に記載のゴルフバッグ。
【請求項７】
前記スライド部材（４）は、前記スライド板（８）及び前記スライドロック部（５）と、スライド棒（１２）及びスライドカバー（１３）とを備えていない場合、前記バッグ開口部（２）の内部に設けられた中空のプラスチック桶（１０）と、前記プラスチック桶（１０）と前記バッグ開口部（２）との間に設けられた保護カバー（３）とを備え、前記保護カバー（３）の下端の外周面には、第一突出リング（１６）が設けられ、前記プラスチック桶（１０）の上端の内周面には、第二突出リング（１７）が設けられ、前記保護カバー（３）の内部の中部には、キャップフレーム（６）が固定されており、前記キャップフレーム（６）の内部には、格子（１１）が配置されていることを特徴とする請求項１に記載のゴルフバッグ。
【請求項８】
前記保護カバー（３）の上部には、開閉可能なキャップ（１８）が設けられ、前記キャップ（１８）と前記保護カバー（３）との間は、ジッパーにより連結されることを特徴とする請求項７に記載のゴルフバッグ。
【発明の詳細な説明】
【技術分野】
【０００１】
本発明は、ゴルフ運動用品に関し、特にスライド可能な隠蔽式クラブ保護カバーを備えるゴルフバッグに関するものである。
【背景技術】
【０００２】
従来のゴルフバッグのクラブ保護カバーは、主に以下のような２種がある。１種のクラブ保護カバーは、柔軟材料で製造し、かつバッグ本体と同じ材料で製造したキャップを有するクラブ保護カバーである。クラブを使用するときは、キャップを開けてクラブ取り出し、ゴルフバッグを運搬するときは、ボタンを利用したキャップでバッグ本体を閉める。もう１種のクラブ保護カバーは、ポリエチレン樹脂で製造するか、或いは射出成形で製造する硬質ハウジングである。該クラブ保護カバーは、ボタンによりハウジングに連結されるキャップを有する。ユーザがクラブを利用するとき、キャップをハウジングから取り外さなければならないので、外したキャップを放置する場所を探す必要があるし、かつキャップを紛失する恐れもあるので、不便である。また、柔軟性のあるクラブ保護カバーを利用してクラブを運搬するとき、クラブが互いにぶつかって、クラブが損壊するか、或いはクラブの外観に傷つけるので、クラブの外観及び使用寿命にも影響を与える。
【発明の概要】
【発明が解決しようとする課題】
【０００３】
本発明は、クラブを使用するときに、キャップを取り外す必要がなく、かつクラブを容易、安全に使用及び運搬することができるゴルフバッグを提供することを目的とする。
【課題を解決するための手段】
【０００４】
上記の課題を解決するため、次のようなゴルフバッグを提供する。本発明のゴルフバッグは、バッグ本体を備える。前記バッグ本体の上部のバッグ開口部の内部には、前記バッグ開口部の軸方向に移動可能な保護カバーが設けられている。前記保護カバーと前記バッグ開口部との間には、スライド部材が設けられ、前記保護カバーは、前記スライド部材によって前記バッグ開口部の内部に連結されている。
【０００５】
本発明において、前記スライド部材は、前記バッグ開口部の内部に径方向に設けられた前記スライド板と、前記保護カバーの下端の内部に設けられたスライドロック部とを備える。前記スライド板には、スライド溝が設けられ、前記スライド溝の上端と前記スライド板とが連結される個所には、止め部材が設けられている。前記スライドロック部は、「工」字形に形成され、前記スライドロック部の一端は、前記保護カバーに固定され、他端は、前記スライド溝の下端からスライド溝内に挿入され、かつ前記スライド板に沿って上下にスライドすることができる。
【０００６】
本発明において、前記スライド板の上端と下端には、上端固定部と下端固定部とがそれぞれ設けられている。前記上端固定部と前記下端固定部はそれぞれ、前記スライド板に連結され、前記上端固定部は、移動可能に前記保護カバーの内部に設けられる。前記上端固定部の内壁には、固定されたキャップフレームが設けられている。前記キャップフレームの内部には、格子が配置されている。
【０００７】
本発明において、前記上端固定部、前記下端固定部及び前記スライド板の外部には、中空のプラスチック桶が設けられている。前記下端固定部は、前記プラスチック桶の内壁に固定され、前記保護カバーは、前記上端固定部と前記プラスチック桶との間に挿入される。
【０００８】
本発明において、前記スライド板の数量が２個〜４個である。
【０００９】
本発明において、前記スライド部材は、前記バッグ開口部の内部に径方向に設けられたスライド棒と、前記保護カバーの内部に設けられたスライドカバーとを備える。前記スライドカバーは、前記スライド棒に係合される。前記スライド棒の上端部には、前記キャップフレームが設けられ、前記キャップフレームは、前記保護カバーの内部に設けられ、前記キャップフレームの内部には、格子が配置されている。
【００１０】
本発明において、前記スライド棒の下端は、前記バッグ本体の底部に設けられた底盤に固定され、前記底盤には、挿入用孔が設けられている。前記スライド棒の下端は、前記挿入用孔に挿入され、かつ前記挿入用孔の内部に固定される。
【００１１】
本発明において、前記スライド棒の数量が２個〜４個である。
【００１２】
本発明において、前記スライド部材は、前記バッグ開口部の内部に設けられた中空のプラスチック桶と、前記プラスチック桶と前記バッグ開口部との間に設けられた保護カバーとを備える。前記保護カバーの下端の外周面には、第一突出リングが設けられ、前記プラスチック桶の上端の内周面には、第二突出リングが設けられている。前記保護カバーの内部の中部には、キャップフレームが固定されており、前記キャップフレームの内部には、格子が配置されている。
【００１３】
本発明において、前記保護カバーの上部には、開閉可能なキャップが設けられ、前記キャップと前記保護カバーは、ジッパーにより連結される。
【発明の効果】
【００１４】
本発明のゴルフバッグと従来のゴルフバッグを比較してみると、本発明は次のような発明の効果を奏することができる。バッグ本体の内部にスライド可能な保護カバーが設けられているので、クラブを使用するとき、保護カバーのキャップのみを開けた後、保護カバーを下に移動させると、クラブを使用することができる。クラブをゴルフバッグに収容させるときは、保護カバーをバッグ本体から引き出した後、保護カバーのキャップを閉める。すなわち、クラブが保護カバーの内部に収容されるので、運搬及び携帯するとき、クラブが損壊するか、或いはクラブの外観に傷つけることを防止し、クラブの寿命を延長することができる。また、クラブが保護カバー内に収容されているので、クラブを紛失する恐れもない。
【図面の簡単な説明】
【００１５】
【図１】本発明の第一実施形態に係るゴルフバッグを示す分解斜視図である。
【図２】本発明の第一実施形態に係るゴルフバッグを示す斜視図である。
【図３】本発明の第一実施形態において、上端固定部と下端固定部に連結されるスライド板の連結構造を示す図である。
【図４−１】本発明の第一実施形態のスライドロック部の構造を示す図である。
【図４−２】本発明の第一実施形態のスライド板を示す断面図である。
【図５】本発明の第一実施形態のクラブ保護カバーの構造を示す図である。
【図６】本発明の第二実施形態に係るゴルフバッグを示す斜視図である。
【図７】本発明の第二実施形態に係るゴルフバッグを示す分解斜視図である。
【図８】本発明の第三実施形態に係るゴルフバッグを示す斜視図である。
【図９】本発明の第三実施形態に係るゴルフバッグを示す断面図である。
【図１０】本発明のゴルフバッグのクラブを使用するときの状態を示す図である。
【図１１】本発明のゴルフバッグを運搬又は保存するときの状態を示す図である。
【発明を実施するための形態】
【００１６】
以下、図面に基づいて、本発明に係るゴルフバッグについて詳細に説明する。
【００１７】
図１、図２及び図１０に示すとおり、本発明の第一実施例のゴルフバッグは、バッグ本体１を備える。バッグ本体１の上部のバッグ開口部２の内部には、バッグ開口部２の軸方向に移動可能な保護カバー３が設けられている。保護カバー３は、円柱状に形成され、保護カバー３の上部には、開閉可能なキャップ１８が設けられている。キャップ１８と保護カバー３との間は、ジッパーにより連結される。保護カバー３とバッグ開口部２との間には、スライド部材４が設けられている。保護カバー３は、スライド部材４によって、バッグ開口部２の内部に取り付けられる。スライド部材４は、バッグ開口部２の内部に径方向に設けられたスライド板８と、保護カバー３の下端の内部に設けられたスライドロック部５と、スライド板８の上端と下端にそれぞれ設けられた上端固定部７及び下端固定部９とを備える。本実施例において、スライド板８の数量は、四個であり、各スライド板８は、隣接する同士の間に９０度の挟角が形成されるように設けられている。スライド板８の数量は、四個に限定されるものではなく、二個又は四個以上でもよい。スライド板８には、スライド溝８１が設けられており、スライド溝８１の開口は、スライド板８の下端に位置している。スライド溝８１の上端とスライド板８とが連結された個所には、止め部材８２が設けられている。保護カバー３の他端に形成されるスライドロック部５の数量も四個であり、各スライドロック部５はそれぞれ、スライド板８と対応するように保護カバー３に設けられている。スライドロック部５は、「工」字形に形成され、スライドロック部５の一端の横棒の長さは、他端の横棒の長さより短い。短い横棒は、スライド溝８１の下端からスライド溝８１内に係合され、かつスライド板８に沿って上下に移動することができる。長い横棒は、保護カバー３に固定連結される。これにより、保護カバー３は、スライドロック部５を介して、スライド板８に沿って上下に移動することができる。上端固定部７は、保護カバー３の内部に移動可能に設けられる。保護カバー３の外部には、中空のプラスチック桶１０が移動可能に取り付けられる。下端固定部９は、プラスチック桶１０の内壁に固定される。上端固定部７の外壁には、リベットによって連結されるキャップフレーム６が設けられており、キャップフレーム６とスライド部材４とが一体に連結されている。キャップフレーム６は、保護カバー３の内部に設けられ、キャップフレーム６の内部には格子１１が配置されている。保護カバー３がスライド板８に沿って上に移動するとき、キャップフレーム６は最初の位置に止まっており、保護カバー３がスライド板８に沿って下に向けて、下端固定部９の上端の周辺まで移動するとき、キャップフレーム６と保護カバー３との間に空隙が形成される。
【００１８】
図３に示すとおり、本発明の第一実施例１のスライド部材４は、リング形状の上端固定部７と、リング形状の下端固定部９と、板状のスライド板８とを備える。上端固定部７は、３つのリベットによりスライド板８の上端に固定され、下端固定部８は、３つのリベットによりスライド板８の下端に固定される。スライド板８には、スライド溝８１が設けられ、スライド溝８１の下端の開口は下を向けて形成されている。スライド溝８１の上端の開口が、該開口とスライド板８とが隣接する箇所に設けられた止め部材８２により阻止されるので、スライドロック部５がスライド溝８１から脱離することを防止することができる。
【００１９】
図４−１に示すとおり、本発明の第一実施例のスライドロック部５は、「工」字形に形成され、スライドロック部５の一端の横棒の長さは、他端の横棒の長さより短い。短い横棒は、スライド溝８１の下端からスライド溝８１内に挿入され、かつスライド板８の内部で移動することができる。
【００２０】
図４−２に示すとおり、本発明の第一実施例のスライド板８のスライド溝８１は、切欠部（図示せず）を備える中空矩形の構造である。切欠部は、スライド溝８１の中部に設けられている。ライドロック部５の短い横棒は、中空矩形の構造の内に係合され、かつスライド溝８１の内部でスライドすることができる。
【００２１】
図５に示すとおり、本発明の第一実施例の保護カバー３は、円柱形に形成されている。保護カバー３の下端には、開け口が設けられ、上端には、ジッパーによって連結されるキャップ１８が設けられている。保護カバー３の下端の内側の開口に隣接する箇所には、スライド板８の位置と対応するライドロック部５が、リベットにより固定されている。スライドロック部５は、スライド板８に係合され、かつスライドロック部５の係合溝に沿って上下に移動することができる。
【００２２】
本実施例は、次のような３つの規格を含む。
【００２３】
第一種類において、保護カバー３の高さは、４８０ｍｍであり、直径が２２６ｍｍである。スライドロック部５は、保護カバー３の底部から３０ｍｍ離れた箇所に取り付けられる。プラスチック桶１０の高さは、８５０ｍｍであり、直径が２３９ｍｍである。スライド板８の長さは、５２０ｍｍであり、幅が２８ｍｍである。スライドロック部５がスライドする距離は、４３０ｍｍである。上端固定部７の直径は、２２０ｍｍであり、高さが３０ｍｍである。下端固定部９の直径は、２２０ｍｍであり、高さが３０ｍｍである。スライドロック部５の長い横棒の長さは、４５ｍｍであり、短い横棒の長さは、２５ｍｍであり、短い横棒と長い横棒との間に連結された連結棒の長さは、５ｍｍである。
【００２４】
第二種類において、保護カバー３の高さは、４８０ｍｍであり、直径が２１３ｍｍである。スライドロック部５は、保護カバー３の底部から４０ｍｍ離れた箇所に取り付けられる。プラスチック桶１０の高さは、８５０ｍｍであり、直径が２２６ｍｍである。スライド板８の長さは、５２０ｍｍであり、幅が２８ｍｍである。スライドロック部５がスライドする距離は、４３０ｍｍである。上端固定部７の直径は、２０７ｍｍであり、高さが３０ｍｍである。下端固定部９の直径は、２０７ｍｍであり、高さが３０ｍｍである。スライドロック部５の長い横棒の長さは、４５ｍｍであり、短い横棒の長さは、２５ｍｍであり、短い横棒と長い横棒との間に連結された連結棒の長さは、５ｍｍである。
【００２５】
第三種類において、保護カバー３の高さは、４８０ｍｍであり、直径が２３９ｍｍである。スライドロック部５は、保護カバー３の底部から４０ｍｍ離れた個所に取り付けられる。プラスチック桶１０の高さは、８５０ｍｍであり、直径が２５１ｍｍである。スライド板８の長さは、５２０ｍｍであり、幅が２８ｍｍである。スライドロック部５がスライドする距離は、４３０ｍｍである。上端固定部７の直径は、２３２ｍｍであり、高さが３０ｍｍである。下端固定部９の直径は、２３２ｍｍであり、高さが３０ｍｍである。スライドロック部５の長い横棒の長さは、４５ｍｍであり、短い横棒の長さは、２５ｍｍであり、短い横棒と長い横棒との間に連結された連結棒の長さは、５ｍｍである。
【００２６】
図６、図７及び図１０に示すとおり、本発明の第二実施例のゴルフバッグは、バッグ本体１を備える。バッグ本体１の上部のバッグ開口部２の内部には、バッグ開口部２の軸方向に移動可能な保護カバー３が設けられる。保護カバー３は、円柱状に形成されている。保護カバー３の上部には、開閉可能なキャップ１８が設けられている。キャップ１８と保護カバー３との間は、ジッパーにより連結される。保護カバー３とバッグ開口部２との間には、スライド部材４が設けられる。スライド部材４は、バッグ開口部２の内部に径方向に設けられたスライド棒１２と、保護カバー３の内部に設けられたスライドカバー１３とを備える。スライド棒１２の数量は、四個であり、各スライド棒１２は、隣接する同士の間に９０度の挟角が形成されるように設けられている。スライド棒１２の数量は、四個に限定されるものではなく、二個又は四個以上でもよい。スライドカバー１３の数量は、四個であり、各スライドカバー１３はそれぞれ、スライド棒１２と対応するように、保護カバー３の内部の下端の内壁に設けられ、かつそれぞれスライド棒１２に係合される。スライド棒１２の上端部には、キャップフレーム６が設けられている。キャップフレーム６には、孔部が設けられ、該孔部を通過するようにスライド棒１２の上端にネジを締め付けることにより、キャップフレーム６をスライド棒１２の上端部に固定させることができる。保護カバー３は、キャップフレーム６の外部を覆う。キャップフレーム６の内部には、格子１１が配置されている。バッグ本体１の底部の内部には、底盤１４が設けられており、底盤１４には、挿入用孔１５が設けられている。スライド棒１２の下端は、挿入用孔１５に挿入され、かつ挿入用孔１５の内部に固定される。挿入用孔１５内には、スライド棒１２を連結固定するためのネジ山が設けられている。スライド棒１２に沿って保護カバー３を上に移動させるとき、キャップフレーム６は、最初の位置に止まっている。
【００２７】
図８〜１０に示すとおり、本発明の第二実施形態のゴルフバッグは、バッグ本体１を備える。バッグ本体１の上部のバッグ開口部２の内部には、バッグ開口部２の軸方向に移動可能な保護カバー３が設けられている。保護カバー３は、円柱状に形成され、保護カバー３の上部には、開閉可能なキャップ１８が設けられている。キャップ１８と保護カバー３との間は、ジッパーにより連結されている。保護カバー３とバッグ開口部２との間には、スライド部材４が設けられている。スライド部材４は、バッグ開口部２の内部に設けられる中空のプラスチック桶１０と、プラスチック桶１０とバッグ開口部２との間に設けられる保護カバー３とを備える。保護カバー３の下端の外周面には、第一突出リング１６が設けられ、プラスチック桶１０の上端の内周面には、第二突出リング１７が設けられている。保護カバー３の内部の中部には、固定連結されたキャップフレーム６が設けられ、キャップフレーム６の内部には、格子１１が配置されている。保護カバー３がプラスチック桶１０に沿ってプラスチック桶１０の上部まで移動したとき、第一突出リング１６の上表面が第二突出リング１７の下表面と接触するので、保護カバー３が連続して上に移動することができず、且つ保護カバー３がプラスチック桶１０とバッグ開口部２から脱離することができない。
【００２８】
図１０に示すとおり、本発明のゴルフバッグ内のクラブを使用しようとするときは、保護カバー３をバッグ開口部２の内部に収容させる。
【００２９】
図１１に示すとおり、本発明のゴルフバッグを運搬及び保存しようとするときは、保護カバー３をバッグ開口部２から引き出し、かつブラッシーで保護カバー３のキャップ１８を閉める。
【００３０】
本発明のゴルフバッグは、保護カバー３とゴルフバッグとが一体になっているので、携帯、運搬及び保存するときは、保護カバー３を引き出してクラブをカバーし、かつキャップを閉めることにより、クラブをゴルフバッグの内部に保存することができる。クラブを使うときは、保護カバー３のキャップを開けた後、保護カバー３を下に移動させて、ゴルフバッグの主体の内部に収容させることができる。これにより、本発明のゴルフバッグは、外観形状と機能に影響を与えず、使用の利便性がよい。
【符号の説明】
【００３１】
１  バッグ本体
１０  プラスチック桶
１２  スライド棒
１３  スライドカバー
１５  挿入用孔
１６  第一突出リング
１７  第二突出リング
１８  キャップ
２  バッグ開口部
３  保護カバー
４  スライド部材
５  スライドロック部
６  キャップフレーム
７  上端固定部
８  スライド板
８１  スライド溝
９  下端固定部
【図１】
0005782192.tif 000002
【図２】
0005782192.tif 000003
【図３】
0005782192.tif 000004
【図４−１】
0005782192.tif 000005
【図４−２】
0005782192.tif 000006
【図５】
0005782192.tif 000007
【図６】
0005782192.tif 000008
【図７】
0005782192.tif 000009
【図８】
0005782192.tif 000010
【図９】
0005782192.tif 000011
【図１０】
0005782192.tif 000012
【図１１】
0005782192.tif 000013